(57)【要約】      （修正有）【課題】薄型化と軽量化を実現しつつ強度を保つことが可能で、嵌合性がよく着脱感を軽くすることができ、さらに装飾性を高めたスナップボタンを提供する。【解決手段】スナップボタンは、係合突起１１２ａを備えた雄側部材１１０と、係合突起と係合する係合保持部１２２ａを備えた雌側部材１２０と、を備え、雄側部材は、雄側台座１１１と、台座に取り付けられる係合突起を有する雄側スナップ１１２と、台座に取り付けられる雄側キャップ１１３と、をそれぞれ別体に構成し、雌側部材は、雌側台座１２１と、台座に取り付けられる係合保持部を有する雌側スナップ１２２と、台座に取り付けられる雌側キャップ１２３と、をそれぞれ別体に構成した。【選択図】図１
0003214644.tif 000002
【実用新案登録請求の範囲】
【請求項１】
係合突起を備えた雄側部材と、
前記係合突起と係合する係合保持部を備えた雌側部材と、を備え、
前記雄側部材は、雄側台座と、前記台座に取り付けられる前記係合突起を有する雄側スナップと、前記台座に取り付けられる雄側キャップと、をそれぞれ別体に構成し、
前記雌側部材は、雌側台座と、前記台座に取り付けられる前記係合保持部を有する雌側スナップと、前記台座に取り付けられる雌側キャップと、をそれぞれ別体に構成した、
スナップボタン。
【請求項２】
前記雄側スナップは、前記雄側台座と前記雄側キャップの間に介在し、前記雄側台座と前記雄側キャップとが嵌合することで、前記雄側台座に取り付けられ、
前記雌側スナップは、前記雌側台座と前記雌側キャップの間に介在し、前記雌側台座と前記雌側キャップとが嵌合することで、前記雌側台座に取り付けられる、
請求項１に記載のスナップボタン。
【請求項３】
前記雄側キャップは、前記雄側座金が取り付けられる面と反対の面に生地を取り付け可能に構成され、前記雄側キャップとの端部を加締めることにより前記雄側座金との間で生地を挟持して固定するものであり、
前記雌側キャップは、前記雌側座金が取り付けられる面と反対の面に生地を取り付け可能に構成され、前記雌側キャップとの端部を加締めることにより前記雌側座金との間で生地を挟持して固定する、
請求項１又は２に記載のスナップボタン。
【請求項４】
前記雄側キャップ及び前記雌側キャップは、中央が開口したリング状であり、リング状の前記雄側キャップ及び前記雌側キャップに前記雄側台座及び前記雌側台座が嵌挿される、
請求項１から３のいずれか一項に記載のスナップボタン。
【請求項５】
前記雄側キャップは、前記雄側台座との間に接続部を備え、
前記接続部は、前記雄側台座との間に介在される生地を貫通して、前記雄側キャップと前記雄側台座とを接続する
請求項１に記載のスナップボタン。
【考案の詳細な説明】
【技術分野】
【０００１】
本考案は、スナップボタンに関する。
【背景技術】
【０００２】
従来、被服やカバン類の開放部分を留めるボタンとして、スナップボタンが知られている。
【０００３】
このスナップボタンは、一般的に、雌雄の２つの部分から構成され、開放部分の２つの生地にそれぞれ取り付けることにより用いるものである。例えば、スナップボタンは、係合突起を備えた雄部材と、係合突起を嵌合させ、固定する雌部材とからなり、雄部材は雄キャップと雄スナップ（ソケット）、雌部材は雌キャップと雌スナップとの２つの部品から構成され、雄スナップと雌スナップが係合することで着脱可能になる。また、一般的には、雌雄スナップを布地に縫い付けることに用いるが、なかにはキャップとスナップとの間に、布地を介在させ、生地に取り付けられるタイプも存在する（例えば、特許文献１参照）。
【０００４】
また、スナップボタンには、「くるみスナップ」（または「シルクスナップ」）と呼ばれるものが知られている。スナップボタンは、雌雄のキャップ部が外部に露出した状態で生地に取り付けられるのが一般的であるが、くるみスナップは、雄部材と雌部材のそれぞれのキャップを、スナップボタンを取り付ける生地と同様の生地で覆うことで、被服やカバン類と同様の生地でボタンを構成させ、ボタンを生地と同化させることのできるボタンである。
【０００５】
また、被服やカバン類では、商品を出荷するまでの工程において、縫製段階で混入した折れ針や、ホッチキス針、荷札の針金など人体にけがを負わせる物が混入していないかを調べる検針工程が存在する。この検針工程では、検針機によって被服等に含まれる金属の総量が閾値を超えたか否かで判断する。スナップボタンは、一般に真鍮やアルミニウムなどの金属をその構成要素とする場合があり、特にコートに用いられるスナップボタンなど大判タイプになると、金属量の閾値を超えて検針機を作動させる可能性があり、金属部品を利用しないスナップボタンの提案もなされている（例えば、特許文献２参照）。
【先行技術文献】
【特許文献】
【０００６】
【特許文献１】特開２０１６−４９３４４号公報
【特許文献２】特開２００９−１３６５８４号公報
【考案の概要】
【考案が解決しようとする課題】
【０００７】
ところで、スナップボタンは、近年ますます薄型化、軽量化の要請が高い。特に、上述のくるみスナップは、被服やカバン類と同一の生地でボタンを構成させ、ボタンを生地と同化させる目的があるため薄型化、軽量化の要請がある。薄型化と軽量化を行うと、スナップボタンの剛性などの強度が保てなくなり、強度を保ちながらの薄型化と軽量化を実現することは難しかった。また、スナップボタン全体が大型化し、あるいは高剛性にしようとすると、スナップの係合突起自体の大型化を招くことになるが、係合突起が大きくなると、着脱に力を要することになり、着脱感が悪くなる。
【０００８】
また、コートやカバンに用いられるくるみスナップでは、コートやカバンのデザインに合わせて大きく作られたり、コートの生地と同じ厚い生地をくるんだり挟んだりすることがある。この場合も、スナップボタンのサイズが大きくなると、上記同様に、必然的にスナップの係合突起も大きくなり着脱に力が必要となるなど、ボタンの着脱感が悪くなる。また、厚い生地を挟むためには厚みや強度が必要になり、厚い生地をくるむことのできるスナップボタンが存在しなかった。そして、いずれの場合も、スナップボタンを構成する金属量も大きくなるため、検針上の課題もあった。
【０００９】
また、従来の構造のスナップボタンでは、生地表面にはキャップが露出するため、生地表面側の装飾は主として円形のキャップ表面において行うに限られていた。
【００１０】
そこで、本考案は、薄型化と軽量化を実現しつつ強度を保つことが可能で、嵌合性がよく着脱感の軽くすることができ、さらに装飾性を高めたスナップボタンを提供することを目的とする。
【課題を解決するための手段】
【００１１】
本考案の一態様に係るスナップボタンは、係合突起を備えた雄側部材と、係合突起と係合する係合保持部を備えた雌側部材と、を備え、雄側部材は、雄側台座と、台座に取り付けられる係合突起を有する雄側スナップと、台座に取り付けられる雄側キャップと、をそれぞれ別体に構成し、雌側部材は、雌側台座と、台座に取り付けられる係合保持部を有する雌側スナップと、台座に取り付けられる雌側キャップと、をそれぞれ別体に構成した。
【００１２】
この態様によれば、雄側部材と雌側部材において、係合突起と係合保持部を構成するスナップを台座から分離して構成した。これにより、スナップの素材、大きさ及び強度などにおいて、台座及びキャップの設計から直接的な影響を受けることがない。したがって、たとえば、台座及びキャップを大判又は厚く形成した場合でも、スナップを大きくすることなく対応可能であり、これにより、スナップボタン全体が大型化しても、スナップが大きくならないため、着脱の容易さを維持することができる。また、台座及びキャップの薄型化を目的とした場合でもスナップの設計を変えることなく、台座及びキャップの素材の選択を行うことができる。さらに、複数径からなるサイズ違いのスナップボタンにおいても、スナップと台座との取付け部の構成を同じにしておけば、同一規格のスナップを用いることが可能である。
【００１３】
また、雄側部材と雌側部材において、係合突起と係合保持部を構成するスナップを台座から分離して構成したことで、スナップを金属で構成しつつ、台座とキャップとを樹脂製とするなどの構成の自由度を実現できる。このため、スナップボタン全体の金属量を適宜に調整することが可能になり、検針上の課題を解決することができる。
【００１４】
上記態様において、雄側スナップは、雄側台座と雄側キャップの間に介在し、雄側台座と雄側キャップとが嵌合することで、雄側台座に取り付けられ、雌側スナップは、雌側台座と雌側キャップの間に介在し、雌側台座と雌側キャップとが嵌合することで、雌側台座に取り付けられてもよい。
【００１５】
この態様によれば、台座、スナップ、キャップの三層構造により構成したスナップボタンにおいて、スナップを台座とキャップの嵌合により固定することができるので、三層の部品を容易に組み立てることが可能である。
【００１６】
上記態様において、雄側キャップは、雄側座金が取り付けられる面と反対の面に生地を取り付け可能に構成され、雄側キャップとの端部を加締めることにより雄側座金との間で生地を挟持して固定するものであり、雌側キャップは、雌側座金が取り付けられる面と反対の面に生地を取り付け可能に構成され、雌側キャップとの端部を加締めることにより雌側座金との間で生地を挟持して固定してもよい。
【００１７】
この態様によれば、雄側キャップ及び雌側キャップの面に生地を取り付け可能とし、この生地をキャップとの端部を加締めることにより台座との間で挟持させることで、台座、スナップ、キャップの三層構造としつつ、糸切れ、生地切れを起こさずにキャップに生地を容易に取り付けることが可能になる。
【００１８】
上記態様において、雄側キャップ及び雌側キャップは、中央が開口したリング状であり、リング状の雄側キャップ及び雌側キャップに雄側台座及び雌側台座が嵌挿されてもよい。
【００１９】
この態様によれば、リング状で形成されるキャップは真鍮などの金属で構成し、台座を樹脂等により構成することで、スナップボタン全体に利用する金属量を減らすことができ、検針機での誤作動を抑制できる。また、スナップボタンのキャップに厚い生地を取り付ける場合、キャップ及び台座に厚みを持たせる必要があるが、この場合、台座を樹脂で構成することが可能であるので、キャップ及び台座に厚みを持たせたとしても、金属量の増加を抑えることができ、スナップボタンの価格を安価にできるとともに、重さも増加することなく、また検針上の課題を解決することができる。さらに、厚い生地を取り付ける場合には、係合突起を形成するスナップの長さを長くする必要があるが、本態様では、スナップが台座及びキャップと分離して設けられているので、生地の厚さに応じたスナップの形成が可能である。
【００２０】
上記態様において、雄側キャップは、雄側台座との間に接続部を備え、接続部は、雄側台座との間に介在される生地を貫通して、雄側キャップと雄側台座とを接続してもよい。
【００２１】
この態様によれば、雄側キャップに、雄側台座と雄側キャップを離間して生地を挟み、接続部により雄側キャップと雄側台座とを接続することで、雄側キャップ側のデザインの自由度を拡げることが可能である。
【考案の効果】
【００２２】
本考案によれば、薄型化と軽量化を実現しつつ強度を保つことが可能で、嵌合性がよく着脱感の軽くすることができ、さらに装飾性を高めたスナップボタンを提供することができる。
【図面の簡単な説明】
【００２３】
【図１】本考案の第１実施形態に係るスナップボタンの雄側部材の分解図（Ａ）及び断面図（Ｂ）並びに雌側部材の分解図（Ｃ）及び断面図（Ｄ）である。
【図２】本考案の第２実施形態に係るスナップボタンの雄側部材の分解図（Ａ）及び断面図（Ｂ）並びに雌側部材の分解図（Ｃ）及び断面図（Ｄ）である。
【図３】本考案の第３実施形態に係るスナップボタンの雄側部材の分解図（Ａ）及び断面図（Ｂ）並びに雌側部材の分解図（Ｃ）及び断面図（Ｄ）である。
【図４】本考案の第４実施形態に係るスナップボタンの一例を示す分解図（Ａ）及び（Ｂ）並びに断面図（Ｃ）である。
【図５】本考案の第４実施形態に係るスナップボタンのキャップ部分の他の態様を示す図（Ａ）〜（Ｅ）である。
【考案を実施するための形態】
【００２４】
添付図面を参照して、本考案の好適な実施形態について説明する（なお、各図において、同一の符号を付したものは、同一又は同様の構成を有する。）。
【００２５】
［第１実施形態］
本実施形態に係るスナップボタン１００は、図１（Ａ）及び（Ｃ）に示すとおり、係合突起を備えた雄側部材１１０と、係合突起と係合する係合保持部を備えた雌側部材１２０と、から構成される。
【００２６】
雄側部材１１０は、雄側台座１１１と、台座１１１に取り付けられる係合突起１１２ａを有する雄側スナップ１１２と、台座１１１に取り付けられる雄側キャップ１１３と、からなる。
【００２７】
また、雌側部材１２０は、雌側台座１２１と、台座１２１に取り付けられる係合保持部１２２ａを有する雌側スナップ１２２と、台座１２１に取り付けられる雌側キャップ１２３と、からなる。
【００２８】
雄側台座１１１は、スナップボタン１００の雄側の座金部分をなし、被服等の生地に取り付けられる面である。この雄側台座１１１は、円盤状であり、その中心部に孔１１１ａを有するとともに、外周側にスナップボタン１００を生地に取り付ける際に縫い付け糸を通過させる縫い付け穴１１１ｂを有する。
【００２９】
雄側スナップ１１２は、全体が雄側台座１１１に対して小径であり、円盤状の本体部１１２ｂの中央に係合突起１１２ａを備える。本体部１１２ｂは、雄側台座１１１の孔１１１ａの外周に形成された凹み部分に当接するように構成されている。
【００３０】
雄側キャップ１１３は、全体が鍋蓋状で中央に、係合突起１１２ａを通過させる孔１１３ａを備えるとともに、雄側台座１１１と同様、スナップボタン１００を生地に取り付ける際に縫い付け糸を通過させる縫い付け穴１１３ｂを有する。
【００３１】
雄側部材１１０は、雄側台座１１１に対して、雄側スナップ１１２を間に介在させた状態で、雄側キャップ１１３を覆い被せ、図１(Ｂ)に示すとおり、雄側キャップ１１３の端部を加締めることにより、３つの部材が一体として構成される。
【００３２】
雌側台座１２１は、スナップボタン１００の雌側の座金部分をなし、被服等の生地に取り付けられる面である。この雌側台座１２１は、雄側台座１１１と同様に円盤状であるものの、その中心部に孔１２１ａを有するとともに、孔１２１ａの周囲は、後述する雌側スナップ１２２を受け入れるための凹部１２１ｂを形成している。雌側台座１２１は、また、外周側にスナップボタン１００を生地に取り付ける際に縫い付け糸を通過させる縫い付け穴１２１ｃを有する。
【００３３】
雌側スナップ１２２は、全体が雌側台座１２１に対して小径であり、円盤状の本体部１２２ｂの中央に係合突起１１２ａを収容する係合保持部１２２ａを備える。本体部１２２ｂは、雌側台座１２１の孔１２１ａの外周に形成された凹み部分に当接するように構成されている。
【００３４】
雌側キャップ１２３は、雄側キャップ１１３と同一の構成であり、部品として共通するものを用いている。すなわち、雌側キャップ１２３は、全体が鍋蓋状で中央に孔１２３ａを備えるとともに、雌側台座１２１と同様、スナップボタン１００を生地に取り付ける際に縫い付け糸を通過させる縫い付け穴１２３ｂを有する。
【００３５】
雌側部材１２０は、雄側部材１１０と同様、雌側台座１２１に対して、雌側スナップ１２３を間に介在させた状態で、雌側キャップ１２３を覆い被せ、図１（Ｄ）に示すとおり、雌側キャップ１２３の端部を加締めることにより、３つの部材が一体として構成される。
【００３６】
ここで、雄側部材１１０と雌側部材１２０を構成する素材は、ここではすべて真鍮であることを想定しているが、スナップボタン１００として着脱の容易性を考慮し、雄側スナップ１１２及び雌側スナップ１２２のみを真鍮で作製し、その他の台座及びキャップを真鍮以外の材料、たとえばアルミニウムにより構成することも可能である。
【００３７】
以上の第１実施形態のスナップボタン１００によれば、雄側部材１１０と雌側部材１２０において、係合突起１１２ａと係合保持部１２２ａを構成する雌雄スナップ１１２及び１２２を雌雄の台座１１１及び１２１から分離して構成した。
【００３８】
これにより、スナップボタンの素材、大きさ及び強度などにおいて、雌雄の台座１１１及び１２１及びキャップ１１３及び１２３の設計から直接的な影響を受けることがない。したがって、たとえば、台座及びキャップを大判で形成した場合でも、スナップを大きくすることなく対応可能であり、これにより、スナップボタン全体が大判化しても、スナップが大きくならないため、着脱の容易さを維持することができる。
【００３９】
また、台座及びキャップの薄型化を目的とした場合でもスナップの設計を変えることなく、台座及びキャップの素材の選択を行うことができる。さらに、複数径からなるサイズ違いのスナップボタンにおいても、スナップと台座との取付け部の構成を同じにしておけば、同一規格のスナップを用いることが可能である。
【００４０】
また、雄側部材１１０と雌側部材１２０において、係合突起１１２ａと係合保持部１２１ａを構成するスナップを台座から分離して構成したことで、スナップを金属で構成しつつ、台座とキャップとを樹脂製とするなどの構成の自由度を実現できる。このため、スナップボタン全体の金属量を適宜調整することが可能になり、検針上の課題を解決することができる。
【００４１】
さらに、台座、スナップ、キャップの三層構造により構成したスナップボタンにおいて、スナップを台座とキャップの嵌合により固定することができるので、三層の部品を容易に組み立てることが可能である。
【００４２】
また、スナップボタン１００では、板材に曲げ加工を施すことで強度上げている。平らな板状であると、板材を薄くした場合に、簡単に変形してしまい、一方で強度を上げるためには板厚を厚くしなければならないが、曲げ加工を施せば、板状体の強度を上げることができ、例えば、雄側部材１１０と雌側部材１２０を構成する素材をアルミニウムで構成した場合であっても十分な強度を保つことができ、薄くて軽いスナップボタンが実現できる。
【００４３】
［第２実施形態］
本実施形態に係るスナップボタン２００は、図２（Ａ）及び（Ｃ）に示すとおり、係合突起を備えた雄側部材２１０と、係合突起と係合する係合保持部を備えた雌側部材２２０と、から構成される。
【００４４】
なお、第２実施形態において、雄側部材２１０は、雄側台座２１１と、台座２１１に取り付けられる係合突起２１２ａを有する雄側スナップ２１２と、台座２１１に取り付けられる雄側キャップ２１３とを有し、雌側部材２２０は、雌側台座２２１と、台座２２１に取り付けられる係合保持部２２２ａを有する雌側スナップ２２２と、台座２２１に取り付けられる雌側キャップ２２３とを有するところ、これらの各部材の構成は、第１実施形態において示した各共通する部材の構成と同様であるので、図面上符号を付して説明を省略し、以下では、第１実施形態と異なる構成部分について説明する。
【００４５】
第２実施形態においては、スナップボタン２００を構成する雄側部材２１０と雌側部材２２０の素材は、すべてアルミニウムを想定している。このように、スナップボタン２００をアルミニウムにより製造することにより、より薄型化と軽量化を図ることが可能になる。
【００４６】
また、図２（Ａ）及び（Ｃ）に示すとおり、雄側部材２１０及び雌側部材２２０のいずれにおいても、雄側キャップ２１３及び雌側キャップ２２３の鍋蓋状の外周面側に生地Ｆを当接させ、この端部を、雄側キャップ２１３及び雌側キャップ２２３と、雄側台座２１１及び雌側台座２２１との間隙において挟み込んで加締め、生地Ｆを取り付ける。
【００４７】
以上のような本実施形態によれば、雄側キャップ及び雌側キャップの面に生地を取り付け可能とし、この生地を雄側台座及び雌側台座との間で挟持させることで、台座、スナップ、キャップの三層構造としつつ、糸切れ、生地切れを起こさずにキャップに生地を容易に取り付けることが可能である。
【００４８】
［第３実施形態］
本実施形態に係るスナップボタン３００は、図３（Ａ）及び（Ｃ）に示すとおり、係合突起を備えた雄側部材３１０と、係合突起と係合する係合保持部を備えた雌側部材３２０と、から構成される。
【００４９】
雄側部材３１０は、雄側台座３１１と、台座３１１に取り付けられる係合突起３１２ａを有する雄側スナップ３１２と、台座３１１に取り付けられる雄側キャップ３１３と、からなる。
【００５０】
また、雌側部材３２０は、雌側台座３２１と、台座３２１に取り付けられる係合保持部３２２ａを有する雌側スナップ３２２と、台座３２１に取り付けられる雌側キャップ３２３と、からなる。
【００５１】
雄側台座３１１は、ディスク状の樹脂により構成されている。この雄側台座３１１には、その中央に、雄側スナップ３１２を取り付ける貫通孔３１１ａを備え、また、雄側台座３１１は、外周側にスナップボタン３００を生地に取り付ける際に縫い付け糸を通過させる縫い付け穴３１１ｂを有する。縫い付け穴３１１ｂの外周側には、雄側キャップ３１３と当接する上部の太径部分３１１ｃと下部の細径部分３１１ｄとが形成されている。また、貫通孔３１１ａは、図３（Ｄ）の断面図に示すとおり、太径部分と細径部分とかなるＴ字状の孔である。
【００５２】
雄側スナップ３１２は、棒状で先端側に係合突起３１２ａを備えるとともに、係合突起３１２ａと反対側の端部近傍に、雄側台座３１１の貫通孔３１１ａに挿入される係合部３１２ｂを備える。係合部３１２ｂは、前述の貫通孔３１１ａの形状に合わせて、太径部分と細形部分からなり、断面がＴ字状に形成されている。
【００５３】
雄側キャップ３１３は、全体が円盤状で形成され、中央に、雄側台座３１１の縫い付け穴３１１ｂが形成された外周に相当する程度の貫通孔３１３ａを備える。雄側キャップ３１３の内周面は、雄側台座３１１の太径部分３１１ａの表面及び側面に当接するように構成されている。
【００５４】
そして、雄側部材３１０は、雄側台座３１１に対して、雄側スナップ３１２の後端部において結合させるとともに、雄側キャップ３１３を覆い被せ、さらに雄側キャップ３１３の上部から生地Ｆを被せたのち、図３(Ｂ)に示すとおり、生地Ｆの外周端部を、雄側キャップ３１３の内周面と雄側台座３１１の外周面との間に挟み込み、端部を加締めることにより、３つの部材が一体として構成される。
【００５５】
雌側台座３２１は、雄側台座３１１と同様、ディスク状の樹脂により構成されている。この雌側台座３２１には、その中央に、雌側スナップ３２２を取り付ける貫通孔３２１ａを備える。また、雌側台座３２１は、外周側にスナップボタン３００を生地に取り付ける際に縫い付け糸を通過させる縫い付け穴３２１ｂを有する。縫い付け穴３２１ｂの外周側には、雌側キャップ３２３と当接する上部の太径部分３２１ｃと下部の細径部分３２１ｄとが形成されている。
【００５６】
雌側スナップ３２２は、キノコ形状の係合保持部３２２ａと、係合保持部３２２ａを、雌側台座３２１の貫通孔３２１ａを挟持して固定するための係合支持部３２２ｂとからなる。係合保持部３２２ａは、雌側台座３２１の貫通孔３２１ａに嵌挿され、下方端部において係合支持部３２２ｂが取り付けられることで、雌側台座３２１に固定されることになる。
【００５７】
雌側キャップ３２３は、雄側スナップ３１２と同様の構成であり、全体が円盤状で形成され、中央に、雌側台座３２１の縫い付け穴３２１ｂが形成された外周に相当する程度の貫通孔３２３ａを備える。雌側キャップ３２３の内周面は、雌側台座３２１の太径部分３２１ａの表面及び側面に当接するように構成されている。
【００５８】
そして、雌側部材３２０は、雌側台座３２１に対して、雌側スナップ３２２の後端部において結合させるとともに、雌側キャップ３２３を覆い被せ、さらに雌側キャップ３２３の上部から生地Ｆを被せたのち、図３(Ｄ)に示すとおり、生地Ｆの外周端部を、雌側キャップ３２３の内周面と雌側台座３２１の外周面との間に挟み込み、端部を加締めることにより、３つの部材が一体として構成される。
【００５９】
ここで、雄側部材３１０と雌側部材３２０を構成する素材として、雄側台座３１１及び雌側台座３２１は、樹脂で構成され、雄側スナップ３１２及び雌側スナップ３２２は、強度上、真鍮で構成され、雄側キャップ３１３及び雌側キャップ３２３はアルミニウムで構成される。
【００６０】
以上のような本実施形態によれば、第１及び第２の実施形態で示した効果に加え、リング状で形成されるキャップは真鍮などの金属で構成し、台座を樹脂等により構成することで、スナップボタン全体に利用する金属量を減らすことができ、検針機での誤作動を抑制できる。また、スナップボタンのキャップに厚い生地を取り付ける場合、キャップ及び台座に厚みを持たせる必要があるが、この場合、台座を樹脂で構成することが可能であるので、キャップ及び台座に厚みを持たせたとしても、金属量の増加を抑えることができ、スナップボタンの価格を安価にできるとともに、重さも増加することなく、また検針機における誤作動対策も可能になる。
【００６１】
さらに、厚い生地を取り付ける場合には、係合突起を形成するスナップの長さを長くする必要があるが、本態様では、スナップが台座及びキャップと分離して設けられているので、生地の厚さに応じたスナップの形成が可能である。
【００６２】
［第４実施形態］
本実施形態に係るスナップボタン４００は、図４（Ａ）及び（Ｃ）に示すとおり、係合突起を備えた雄側部材４１０からなる。なお、ここでは、雌側部材について示していないが、スナップボタン４００における雌側部材としては、上述した第１ないし第３実施形態における雌側部材を用いることができるものである。
【００６３】
雄側部材４１０は、雄側台座４１１と、台座４１１に取り付けられる係合突起４１２ａを有する雄側スナップ４１２と、台座４１１に取り付けられる雄側キャップ４１３と、からなる。
【００６４】
雄側台座４１１は、ディスク状に構成されている。この雄側台座４１１には、その中央に、雄側スナップ４１２を取り付ける貫通孔４１１ａを備える。また、雄側台座４１１は、外周側にスナップボタン４００を生地に取り付ける際に縫い付け糸を通過させる縫い付け穴４１１ｂを有する。雄側台座４１１は、さらに、４つの縫い付け穴４１１ｂの間に、後述する雄側キャップ４１３を取り付ける接続穴４１１ｃを４つ備える。
【００６５】
雄側スナップ４１２は、先端側に係合突起４１２ａを備えるとともに、この係合突起４１２ａを、雄側台座４１１を挟んで固定するハトメ４１２ｂとから構成される。ハトメ４１２ｂは、雄側台座４１１の貫通孔４１１ａを貫通して係合突起４１２ａのドーム状の内部に挿入されることで固定されるようになっている。
【００６６】
雄側キャップ４１３は、全体が四角形状の枠で形成され、中央に開口を有するとともに、四角形の４つの頂点のそれぞれにピン状の接続片４１３ａを有する。この接続片４１３ａは、雄側台座４１１に形成された接続穴４１１ｃに挿入され、カシメ固定されることで、雄側キャップ４１３が、雄側台座４１１と接続片４１３ａの略高さ分の間隙を備えて接続されるようになっている。
【００６７】
そして、雄側部材４１０は、雄側台座４１１に対して、雄側スナップ４１２が固定されるとともに、雄側キャップ４１３が接続片４１３ａ及び接続穴４１１ｃによって取りつけられることで、図４（Ｂ）に示すとおり、雄側台座４１１と雄側キャップ４１３との間に生地Ｆを介在させた状態で用いることができるものである。
【００６８】
なお、以上の雄側部材４１０では、雄側キャップ４１３の形状は図５（Ｃ）に示す枠状の正方形状であるところ、図５（Ａ）に示す円環状であったり、図５（Ｂ）に示す十字形状に変えて構成することも可能である。
【００６９】
図４（Ｂ）は、第４実施形態におけるスナップボタン４００の他の態様を示すスナップボタン４００´を示すものであって、雄側部材４１０´を構成する雄側台座４１１´、雄側スナップ４１２´及び雄側キャップ４１３´の接続構造は、雄側部材４１０と同等であるが、雄側台座４１１´の形状及び雄側キャップ４１３´の横長の形状が異なるものである。なお、以上の雄側部材４１０では、雄側キャップ４１３の形状は図５（Ｄ）に示す枠状の長方形状であるところ、図５（Ｅ）に示す長方形状に変えて構成することも可能である。
【００７０】
以上のような本実施形態によれば、雄側キャップに、雄側台座と雄側キャップを離間して生地を挟み、接続部により雄側キャップと雄側台座とを接続することで、雄側キャップ側のデザインの自由度を拡げることが可能である。
【００７１】
以上説明した実施形態は、本考案の理解を容易にするためのものであり、本考案を限定して解釈するためのものではない。実施形態が備える各要素及びその配置、材料、条件、形状、サイズ等は、例示したものに限定されるわけではなく適宜変更することができる。また、異なる実施形態で示した構成同士を部分的に置換し又は組み合わせることが可能である。
【符号の説明】
【００７２】
１００，２００，３００，４００：スナップボタン、１１０，２１０，３１０，４１０：雄側部材、１１１，２１１，３１１，４１１：雄側台座、１１２，１２１，１３１，１４１：雄側スナップ、１１２ａ，１２２ａ，１３２ａ，１４２ａ：係合突起、１１３，１２３，１３３：雄側キャップ、１２０，２２０，２３０：雌側部材、１２１，２２１，３２１：雌側台座、１２２，２２２，３２２：雌側スナップ、１２２ａ，２２２ａ，３２２ａ：係合保持部、１２３，２２３，３２３：雌側キャップ、Ｆ  生地
【図１】
0003214644.tif 000003
【図２】
0003214644.tif 000004
【図３】
0003214644.tif 000005
【図４】
0003214644.tif 000006
【図５】
0003214644.tif 000007
【手続補正書】
【提出日】平成29年11月21日(2017.11.21)
【手続補正１】
【補正対象書類名】実用新案登録請求の範囲
【補正対象項目名】請求項３
【補正方法】変更
【補正の内容】
【請求項３】
前記雄側キャップは、前記雄側台座が取り付けられる面と反対の面に生地を取り付け可能に構成され、前記雄側キャップとの端部を加締めることにより前記雄側台座との間で生地を挟持して固定するものであり、
前記雌側キャップは、前記雌側台座が取り付けられる面と反対の面に生地を取り付け可能に構成され、前記雌側キャップとの端部を加締めることにより前記雌側台座との間で生地を挟持して固定する、
請求項１又は２に記載のスナップボタン。
【手続補正２】
【補正対象書類名】明細書
【補正対象項目名】００１６
【補正方法】変更
【補正の内容】
【００１６】
上記態様において、雄側キャップは、雄側台座が取り付けられる面と反対の面に生地を取り付け可能に構成され、雄側キャップとの端部を加締めることにより雄側台座との間で生地を挟持して固定するものであり、雌側キャップは、雌側台座が取り付けられる面と反対の面に生地を取り付け可能に構成され、雌側キャップとの端部を加締めることにより雌側台座との間で生地を挟持して固定してもよい。